(57)【特許請求の範囲】
【請求項１】
軌道面を有する第１軌道部材と、
環状部と、その環状部から延在すると共に、周方向に互いに間隔をおいて位置する複数の柱部とを有して、周方向に隣接する上記柱部の間にポケットを有する保持器と、
上記各ポケットに収容されると共に、上記軌道面を転動する転動面を有するころと
を備え、
上記保持器が有する複数のポケットは、複数の第１ポケットと、一以上の第２ポケットとを含み、
上記柱部の上記各第１ポケットを画定する面において、上記ころのピッチ円よりも径方向の上記第１軌道部材側とは反対側に位置する部分は、上記ころが径方向に脱落するのを防止する円筒面になっており、
上記柱部の上記第２ポケットを画定する面において、隣接する上記柱部の上記ピッチ円よりも径方向の上記第１軌道部材側とは反対側に位置する互いに対向する部分の間隔は、上記ころの直径以上であり、
上記複数のポケットは、複数の上記第２ポケットを有し、
上記保持器の中心軸が、水平方向に略平行な状態にした場合であって、かつ、全ての上記第２ポケットが、上記保持器の中心軸を通過する水平面よりも鉛直方向の下方に位置し、かつ、上記各第２ポケットの上記ころを下側から受ける柱部において上記ころが接する接点の接平面が、上記接点を通過する水平面と一致するか、または、上記接点よりも上記径方向の上記第１軌道部材側とは反対側において、上記水平面よりも鉛直方向上方に位置しているころ保持状態を生成可能であることを特徴とするころ組立体。
【請求項２】
請求項１に記載のころ組立体において、
上記ころは、円筒ころであり、
上記第１軌道部材の上記軌道面は、円筒軌道面であることを特徴とするころ組立体。
【請求項３】
請求項１または２に記載のころ組立体と、
軌道面を有する第２軌道部材と
を備え、
上記各ころは、上記第１軌道部材の上記軌道面と、上記第２軌道部材の上記軌道面との間に配置されていることを特徴とするころ軸受。
【請求項４】
軌道面を有する第１軌道部材と、環状部と、その環状部から延在すると共に、周方向に互いに間隔をおいて位置する複数の柱部とを有して、周方向に隣接する上記柱部の間にポケットを有する保持器と、上記各ポケットに収容されると共に、上記軌道面を転動する転動面を有するころとを備え、上記保持器が有する複数のポケットは、複数の第１ポケットと、一以上の第２ポケットとを含み、上記柱部の上記各第１ポケットを画定する面において、上記ころのピッチ円よりも径方向の上記第１軌道部材側とは反対側に位置する部分は、上記ころが径方向に脱落するのを防止する円筒面になっており、上記柱部の上記第２ポケットを画定する面において、隣接する上記柱部の上記ピッチ円よりも径方向の上記第１軌道部材側とは反対側に位置する互いに対向する部分の間隔は、上記ころの直径以上であるころ組立体と、軌道面を有する第２軌道部材とを備え、上記各ころが、上記第１軌道部材の上記軌道面と、上記第２軌道部材の上記軌道面との間に配置されているころ軸受の上記第２ポケットから上記ころを取り去る方法において、
上記保持器は、一つのみの上記第２ポケットを有し、
上記ころ組立体を、上記保持器の中心軸が、水平方向に略平行に配置されている状態であって、上記第２ポケットが、上記保持器の中心軸を通過する水平面よりも鉛直方向の下方に位置し、かつ、上記第２ポケットの上記ころを下側から受ける柱部において上記ころが接する接点の接平面が、上記接点を通過する水平面と一致するか、または、上記接点よりも上記径方向の上記第１軌道部材側とは反対側において、上記水平面よりも鉛直方向上方に位置する状態にし、
その後、上記第２軌道部材を、上記第２軌道部材の軸方向に移動させることにより、上記ころ組立体と、上記第２軌道部材とを分離し、
その後、上記ころ組立体の上記第２ポケットから上記ころを取り去ることを特徴とするころ軸受からころを取り去る方法。
【請求項５】
請求項１に記載のころ組立体と、軌道面を有する第２軌道部材とを備え、上記各ころが、上記第１軌道部材の上記軌道面と、上記第２軌道部材の上記軌道面との間に配置されているころ軸受の上記複数の第２ポケットからころを取り去る方法において、
上記ころ組立体を、上記ころ保持状態にし、
その後、上記第２軌道部材を、上記第２軌道部材の軸方向に移動させることにより、上記ころ組立体と、上記第２軌道部材とを分離し、
その後、全ての上記第２ポケットから上記ころを取り去ることを特徴とするころ軸受からころを取り去る方法。
【発明の詳細な説明】
【技術分野】
【０００１】
本発明は、ころと、軌道部材と、保持器とを備えるころ組立体およびそれを備えるころ軸受に関する。また、本発明は、ころ軸受からころを取り去る方法に関する。
【背景技術】
【０００２】
従来、ころ軸受としては、特開平１１−８２５１９号公報（特許文献１）に記載されている円錐ころ軸受がある。この円錐ころ軸受は、外輪、内輪、複数の円錐ころおよび保持器を備える。上記保持器は、第１環状部と、第２環状部と、複数の柱部とを有し、第１環状部の内径は、第２環状部の外径よりも大きくなっている。上記各柱部は、第１環状部と、第２環状部とを連結している。上記複数の柱部は、第１環状部の周方向に互いに間隔をおいて位置している。周方向に隣接する上記柱部の間には、ポケットが形成されている。上記各円錐ころは、ポケットの径方向の内方側から抜けないようになっている。
【０００３】
上記保持器の各ポケットにおいて周方向に対向する一対の柱部は、円錐ころの中心軸よりも径方向の外方側に、ポケットの周方向の内側に突出する一対の突出部を有する。このようにして、上記各円錐ころが、上記一対の突出部によって、ポケットの径方向の外方側から抜けにくいようにしている。
【０００４】
また、少なくとも一のポケットの上記一対の突出部間の距離は、それ以外のポケットの上記一対の突出部間の距離よりも長くなっている。このようにして、上記少なくとも一のポケットからの円錐ころの着脱が、それ以外のポケットからの円錐ころの着脱よりも容易になるようにしている。このようにして、円錐ころが取り外された上記少なくとも一のポケットからの内輪軌道面の観察を可能にして、内輪軌道面の検査を容易に行えるようにしている。
【０００５】
しかしながら、上記従来の円錐ころ軸受では、着脱が容易になるように設計されている上記少なくとも一のポケットも、一対の突出部を有しているから、上記少なくとも一のポケットから円錐ころが容易に着脱されないことがある。
【０００６】
一方、上記着脱が容易になるように、上記突出部を省略すると、特に、突出部が存在しないポケットが複数ある場合に、突出部が存在しない全てのポケットに、円錐ころが脱落しないように収容するのが難しく、円錐ころ軸受の組立が困難になるという問題がある。
【０００７】
また、従来のころ軸受では、一対の突出部を用いて、円錐ころの離脱を防止しているから、ころの離脱を確実に防止したい上記一対の突出部間の距離が長いポケットにおいて、ころのポケット内での移動の自由が大きくなって、ころの挙動が安定しないことがある。
【先行技術文献】
【特許文献】
【０００８】
【特許文献１】特開平１１−８２５１９号公報（第５図）
【発明の概要】
【発明が解決しようとする課題】
【０００９】
そこで、本発明の課題は、ころの着脱が自在のポケットを有すると共に、そのポケットにころを脱落しないように収容可能なころ組立体およびそれを備えるころ軸受を提供することにある。
【００１０】
また、本発明の課題は、特定のポケットからころを容易に取り去りできるころ軸受からころを取り去る方法を提供することにある。
【課題を解決するための手段】
【００１１】
上記課題を解決するため、この発明のころ組立体は、
軌道面を有する第１軌道部材と、
環状部と、その環状部から延在すると共に、周方向に互いに間隔をおいて位置する複数の柱部とを有して、周方向に隣接する上記柱部の間にポケットを有する保持器と、
上記各ポケットに収容されると共に、上記軌道面を転動する転動面を有するころと
を備え、
上記保持器が有する複数のポケットは、複数の第１ポケットと、一以上の第２ポケットとを含み、
上記柱部の上記各第１ポケットを画定する面において、上記ころのピッチ円よりも径方向の上記第１軌道部材側とは反対側に位置する部分は、上記ころが径方向に脱落するのを防止する円筒面になっており、
上記柱部の上記第２ポケットを画定する面において、隣接する上記柱部の上記ピッチ円よりも径方向の上記第１軌道部材側とは反対側に位置する互いに対向する部分の間隔は、上記ころの直径以上であり、
上記複数のポケットは、複数の上記第２ポケットを有し、
上記保持器の中心軸が、水平方向に略平行な状態にした場合であって、かつ、全ての上記第２ポケットが、上記保持器の中心軸を通過する水平面よりも鉛直方向の下方に位置し、かつ、上記各第２ポケットの上記ころを下側から受ける柱部において上記ころが接する接点の接平面が、上記接点を通過する水平面と一致するか、または、上記接点よりも上記径方向の上記第１軌道部材側とは反対側において、上記水平面よりも鉛直方向上方に位置しているころ保持状態を生成可能であることを特徴としている。
【００１２】
尚、上記ころが、円錐ころである場合には、上記「隣接する柱部の上記ピッチ円よりも径方向の上記第１軌道部材側とは反対側に位置する互いに対向する部分の間隔は、上記ころの直径以上である」という文言は、円錐ころが保持器の第２ポケットに収容されている状態において、円錐ころが径方向に保持器に重なっている保持器の軸方向の全ての範囲において、各径方向の断面において成立するものとする。
【００１３】
本発明によれば、上記柱部の上記第２ポケットを画定する面において、隣接する柱部の上記ピッチ円よりも径方向の上記第１軌道部材側とは反対側に位置する互いに対向する部分の間隔が、上記ころの直径以上であるから、第２ポケットの径方向の第１軌道部材側とは反対側からころを取り去る際に、第２ポケットにおいて、そのころの取り去りを阻害する箇所が存在することがない。したがって、第２ポケットからころを容易に取り去りできて、ころが取り去られた第２ポケットを通じて第１軌道部材の軌道面の検査を迅速かつ容易に行うことができる。
【００１４】
また、本発明によれば、上記柱部の上記各第１ポケットを画定する面において、上記ころのピッチ円よりも径方向の上記第１軌道部材側とは反対側に位置する部分が、上記ころが径方向に脱落するのを防止する円筒面であるから、従来の構成、すなわち、ころ離脱防止の突出部を設ける構成と比較して、ころをポケットで安定的にだくことができて、ころの挙動を安定させることができる。したがって、ころの転動を円滑に行うことができる。
【００１５】
また、本発明によれば、第１ポケットにころの離脱を防止する突出部が存在しないから、第１ポケットを容易に製造することができる。
【００１６】
【００１７】
また、本発明によれば、上記複数のポケットが、複数の上記第２ポケットを有し、上記ころ保持状態を生成可能であるから、ころ組立体のいずれの第２ポケットからも重力によってころが自発的に落下することがない状態を生成できる。したがって、メンテナンス時に、ころが自然に落下することに起因するころの拾い上げを行う必要がなく、また、ころが紛失することもない。また、メンテナンスの終了時に、第２ポケットにころを組み込む際に、一の第２ポケットにころを収容している最中に、上記一のポケットよりも前に収容された他の第２ポケット内のころが、その他の第２ポケットから外れることがない。したがって、第２ポケットの全てにころを容易に収容できて、全てのポケットにころが収容されたころ組立体を容易に組立でき、このころ組立体を備えるころ軸受を容易に組立できる。
【００１８】
また、一実施形態では、
上記ころは、円筒ころであり、
上記第１軌道部材の上記軌道面は、円筒軌道面である。
【００１９】
上記実施形態によれば、円筒軌道面の検査を容易に行うことができる。
【００２０】
また、本発明のころ軸受は、
本発明のころ組立体と、
軌道面を有する第２軌道部材と
を備え、
上記各ころは、上記第１軌道部材の上記軌道面と、上記第２軌道部材の上記軌道面との間に配置されていることを特徴としている。
【００２１】
本発明によれば、第２ポケットから容易にころを取り去ることができて、第１軌道部材の軌道面を容易に検査することができる。
【００２２】
また、本発明のころ軸受からころを取り去る方法は、
軌道面を有する第１軌道部材と、環状部と、その環状部から延在すると共に、周方向に互いに間隔をおいて位置する複数の柱部とを有して、周方向に隣接する上記柱部の間にポケットを有する保持器と、上記各ポケットに収容されると共に、上記軌道面を転動する転動面を有するころとを備え、上記保持器が有する複数のポケットは、複数の第１ポケットと、一以上の第２ポケットとを含み、上記柱部の上記各第１ポケットを画定する面において、上記ころのピッチ円よりも径方向の上記第１軌道部材側とは反対側に位置する部分は、上記ころが径方向に脱落するのを防止する円筒面になっており、上記柱部の上記第２ポケットを画定する面において、隣接する上記柱部の上記ピッチ円よりも径方向の上記第１軌道部材側とは反対側に位置する互いに対向する部分の間隔は、上記ころの直径以上であるころ組立体と、軌道面を有する第２軌道部材とを備え、上記各ころが、上記第１軌道部材の上記軌道面と、上記第２軌道部材の上記軌道面との間に配置されているころ軸受の上記第２ポケットから上記ころを取り去る方法において、
上記保持器は、一つのみの上記第２ポケットを有し、
上記ころ組立体を、上記保持器の中心軸が、水平方向に略平行に配置されている状態であって、上記第２ポケットが、上記保持器の中心軸を通過する水平面よりも鉛直方向の下方に位置し、かつ、上記第２ポケットの上記ころを下側から受ける柱部において上記ころが接する接点の接平面が、上記接点を通過する水平面と一致するか、または、上記接点よりも上記径方向の上記第１軌道部材側とは反対側において、上記水平面よりも鉛直方向上方に位置する状態にし、
その後、上記第２軌道部材を、上記第２軌道部材の軸方向に移動させることにより、上記ころ組立体と、上記第２軌道部材とを分離し、
その後、上記ころ組立体の上記第２ポケットから上記ころを取り去ることを特徴としている。
【００２３】
本発明によれば、上記第２ポケットからころを容易かつ迅速に取り去ることができる。
【００２４】
また、本発明のころ軸受からころを取り去る方法は、
上記ころ保持状態を生成可能なころ組立体と、軌道面を有する第２軌道部材とを備え、上記各ころが、上記第１軌道部材の上記軌道面と、上記第２軌道部材の上記軌道面との間に配置されているころ軸受の上記複数の第２ポケットからころを取り去る方法において、
上記ころ組立体を、上記ころ保持状態にし、
その後、上記第２軌道部材を、上記第２軌道部材の軸方向に移動させることにより、上記ころ組立体と、上記第２軌道部材とを分離し、
その後、全ての上記第２ポケットから上記ころを取り去ることを特徴としている。
【００２５】
本発明によれば、上記ころ保持状態を生成してから、第２軌道部材を、軸方向に移動させることによって取り外すようにしているから、第２軌道部材を取り外した状態でも、いずれの第２ポケットからもころが抜け落ちることがない。したがって、第２ポケットから離脱したころを拾い上げる作業を行う必要がなく、かつ、第２ポケットからころが抜け落ちて傷が付いたり、紛失したりすることを防止できる。
【発明の効果】
【００２６】
本発明のころ組立体によれば、保持器の柱部の上記第２ポケットを画定する面において、隣接する柱部のころのピッチ円よりも径方向の第１軌道部材側とは反対側に位置する互いに対向する部分の間隔が、ころの直径以上であるから、第２ポケットにおいて、そのころの取り去りを阻害する箇所が存在することがなくて、第２ポケットからころを容易に取り去りできて、第１軌道部材の軌道面の検査を迅速かつ容易に行うことができる。
【００２７】
また、本発明のころ組立体によれば、上記柱部の上記各第１ポケットを画定する面において、ころのピッチ円よりも径方向の第１軌道部材側とは反対側に位置する部分が、ころが径方向に脱落するのを防止する円筒面であるから、ころをポケットで安定的にだくことができて、ころの挙動を安定させることができ、ころの転動を円滑に行うことができる。
【００２８】
また、本発明のころ組立体によれば、第１ポケットにころの離脱を防止する突出部が存在しないから、第１ポケットを容易に製造することができる。
【図面の簡単な説明】
【００２９】
【図１】本発明の一実施形態の複列円筒ころ軸受の軸方向の模式断面図である。
【図２】上記複列円筒ころ軸受の保持器の斜視図である。
【図３】上記保持器の一部を保持器の軸方向の一方側から見たときの斜視図である。
【図４】本発明の一実施形態の複列円筒ころ軸受からころを取り去る方法を説明するための図である。
【発明を実施するための形態】
【００３０】
以下、本発明を図示の形態により詳細に説明する。
【００３１】
図１は、本発明の一実施形態の複列円筒ころ軸受の軸方向の模式断面図である。
【００３２】
この複列円筒ころ軸受は、第１軌道部材としての外輪１と、第２軌道部材としての内輪２と、くし形もみ抜き保持器（以下、単に保持器という）３と、転動体としての複数の第１円筒ころ４と、転動体としての複数の第２円筒ころ５と、第１鍔輪６と、第２鍔輪７と、環状のスペーサ１０とを備え、第１円筒ころ４は、第２円筒ころ５と略同一である。この複列円筒ころ軸受は、外輪１の外周面が図示しないロールの外周面を転動するバッキング軸受（ローラー）として用いられる。
【００３３】
上記外輪１は、第１内周円筒軌道面１１と、第２内周円筒軌道面１２と、第１鍔部１３と、第２鍔部１４とを有し、第１内周円筒軌道面１１は、第２円筒軌道面１２と略同一である。上記第１鍔部１３は、第１内周円筒軌道面１１の軸方向の一方側に位置する一方、第２鍔部１４は、第２内周円筒軌道面１２の軸方向の他方側に位置している。
【００３４】
上記内輪２は、図示しない固定軸の外周面に外嵌されて固定されている。上記内輪は２、第１外周円筒軌道面２１と、第２外周円筒軌道面２２と、油給脂穴２３とを有し、第１外周円筒軌道面２１は、第２外周円筒軌道面２２と略同一である。
【００３５】
上記油給脂穴２３は、径方向に延在して、内輪２を貫通している。上記油給脂穴２３は、軸方向において、第１外周円筒軌道面２１と、第２外周円筒軌道面２２との間に位置している。上記油給脂穴２３は、外部からグリース等の潤滑剤を軸受内に給脂する際に使用されるようになっている。
【００３６】
上記第１鍔輪６は、断面略矩形の形状を有している。上記第１鍔輪６は、内輪２の軸方向の一方側の端面に当接している。上記第１鍔輪６の外周面の外径は、第１外周円筒軌道面２１の外径よりも大きくなっている。
【００３７】
上記第２鍔輪７は、断面略矩形の形状を有している。上記第２鍔輪７は、内輪２の軸方向の他方側の端面に当接している。上記第２鍔輪７の外周面の外径は、第２外周円筒軌道面２２の外径よりも大きくなっている。
【００３８】
上記くし形もみ抜き保持器３は、環状部３０と、複数の第１柱部３１と、複数の第２柱部３２とを有する。上記各第１柱部３１は、環状部３０の軸方向の一方側の端面から軸方向の一方側に突出している一方、各第２柱部３２は、環状部３０の軸方向の他方側の端面から軸方向の他方側に突出している。上記複数の第１柱部３１は、環状部３０の周方向に互いに間隔をおいて配置され、上記複数の第２柱部３２は、環状部３０の周方向に互いに間隔をおいて配置されている。上記周方向に隣接する第１柱部３１の間には、ポケット（以下、一方側ポケットという）が形成され、周方向に隣接する第２柱部３２の間には、ポケット（以下、他方側ポケット）が形成されている。
【００３９】
上記複数の第１円筒ころ４は、外輪１の第１内周円筒軌道面１１と、内輪２の第１外周円筒軌道面２１との間に、保持器３に収容された状態で、周方向に互いに間隔をおいて位置している。また、上記複数の第２円筒ころ５は、外輪１の第２内周円筒軌道面１２と、内輪２の第２外周円筒軌道面２２との間に、保持器３に収容された状態で、周方向に互いに間隔をおいて位置している。上記スペーサ１０は、第２円筒ころ４と、第２円筒ころ５との間に配置されている。上記各第１円筒ころ４は、上記一方側ポケットに収容されている一方、各第２円筒ころ５は、上記他方側ポケットに収容されている。上記外輪１と、複数の第１円筒ころ４と、複数の第２円筒ころ５と、保持器３とは、ころ組立体を構成している。
【００４０】
図２は、上記保持器３の斜視図である。
【００４１】
図２に示すように、保持器３において、第１柱部３１と、第２柱部３２とは、環状部３０の周方向に、交互に配置されている。複数の上記一方側ポケット４１は、複数の第１ポケットと、一つの第２ポケットとを有する一方、複数の上記他方側ポケット４２は、複数の第１ポケット７０と、一つの第２ポケット７１とを有する。
【００４２】
図３は、上記保持器３の他方側ポケット４２を、その軸方向の外方側から見たときの斜視図である。
【００４３】
上記他方側ポケット４２は、複数の第１ポケット７０と、一つの第２ポケット７１とを有する。上記第２柱部３２の各第１ポケット７０を画定する面において、第２円筒ころ５（図１参照）のピッチ円よりも径方向の外輪１（図１参照）側とは反対側に位置する部分は、第２円筒ころ５が径方向に脱落するのを防止する円筒面８５になっている。このことにより、上記ころ組立体に含まれる第２円筒ころ５が、第１ポケット７０の径方向の外輪１側とは反対側（径方向の内方側）から離脱することが不可能になっている。
【００４４】
一方、上記第２柱部３２の第２ポケット７１を画定する面において、隣接する第２柱部３２の第２円筒ころ５のピッチ円よりも径方向の外輪１側とは反対側に位置する周方向に互いに対向する部分の間隔は、第２円筒ころ５の直径以上である。
【００４５】
詳しくは、図３に示すように、上記第２ポケット７１は、二つの第２柱部３２の夫々において、第２円筒ころ５の中心軸よりも径方向の内方側に平坦部９０を有する。上記第２ポケット７１において、一方の第２柱部３２の平坦部９０および他方の第２柱部３２の平坦部９０の夫々は、略径方向に広がっている。上記第２ポケット７１において、一方の第２柱部３２の平坦部９０と、他方の第２柱部３２の平坦部９０とは、周方向に互いに対向している。周方向に互いに対向する二つの平坦部９０の距離は、第２円筒ころの直径よりも長くなっている。このことから、上記ころ組立体に含まれる第２円筒ころ５は、第２ポケット７１の径方向の内方側から容易に離脱可能になっている。
【００４６】
また、図示しないが、保持器３の一方側ポケット４１は、複数の第１ポケットと、一つの第２ポケットと有する。上記第１柱部３１の各第１ポケットを画定する面において、第１円筒ころ４（図１参照）のピッチ円よりも径方向の外輪１（図１参照）側とは反対側に位置する部分は、第１円筒ころ４が径方向に脱落するのを防止する円筒面８７になっている。このことにより、上記ころ組立体に含まれる第１円筒ころ４が、一方側ポケット４１の第１ポケットの径方向の内方側から離脱することが不可能になっている。
【００４７】
一方、上記一方側ポケット４１の第２ポケットは、第１柱部３１の第２ポケットを画定する面において、隣接する第１柱部３１の第１円筒ころ４のピッチ円よりも径方向の外輪１側とは反対側に位置する互いに対向する部分の間隔が、第１円筒ころ４の直径以上である。このことから、上記ころ組立体に含まれる第１円筒ころ４は、第２ポケットの径方向の内方側から容易に離脱可能になっている。尚、図示しないが、一方側ポケット４１においても、他方側ポケット４２と同様に、第２ポケットは、第１柱部３１の径方向の内方側に平坦部を有している。
【００４８】
また、この実施形態では、保持器３の複数のポケット（複数の一方側ポケット４１と、複数の他方側ポケット４２との和からなる）は、一方側に一つの第２ポケット７１と、他方側に一つの第２ポケットとを有し、合計、二つの第２ポケットを有するが、この二つの第２ポケットは、以下の条件を満たしている。
【００４９】
すなわち、保持器３の中心軸が、水平方向に略平行な状態であって、かつ、各第２ポケットの鉛直方向下方側に位置する柱部３１,３２の径方向の内周円筒軌道面１１,１２側とは反対側の端部における全ての接線の夫々が、水平方向、または、径方向の外輪１（図１参照）側とは反対側に行くにしたがって鉛直方向上方に傾斜する方向に延在している状態を生成可能になっている。
【００５０】
他の言葉でいうと、上記保持器３の中心軸が、水平方向に略平行な状態であって、かつ、全ての第２ポケットが、保持器３の中心軸を通過する水平面よりも鉛直方向の下方に位置し、かつ、各第２ポケットの円筒ころ４,５を下側から受ける柱部３１,３２において円筒ころ４,５が接する接点の接平面が、上記接点を通過する水平面と一致するか、または、上記接点よりも径方向の外輪１側とは反対側において、上記水平面よりも鉛直方向上方に位置しているころ保持状態を生成可能になっている。このころ保持状態では、保持器３のいずれの第２ポケット７１からも円筒ころ４,５が離脱しない状態を持続することができる。
【００５１】
上記構成の複列円筒ころ軸受の外輪の内周円筒軌道面を、次のようにして、目視検査するようになっている。
【００５２】
すなわち、図１を参照して、先ず、複列円筒ころ軸受において、第２鍔輪７を軸方向の他方側に移動させることにより、上記固定軸から第２鍔輪７を取り外す。
【００５３】
その後、外輪１を回転させて、上記ころ保持状態を生成した上で、外輪１、保持器３、複数の第１円筒ころ４および複数の第２円筒ころ５を有するころ組立体を、軸方向の他方側に移動させて、内輪２から抜き取る。
【００５４】
続いて、上記保持器３の二つの第２ポケット７１から、第１円筒ころ４一個と、第２円筒ころ５一個とを、手で取り外す。図４は、ころ組立体から第２円筒ころ５を取り外している最中を示す図である。このように、第１円筒ころ４および第２円筒ころ５は、第２ポケット７１の径方向の内方側から取り外すようになっている。
【００５５】
続いて、外輪１に対して保持器３を相対回転させることにより、一方側ポケットおよび他方側ポケットの夫々において、第２ポケットの径方向の内方から内周円筒軌道面１１,１２を、全周に亘って目視検査する。
【００５６】
このようにして、内周円筒軌道面１１,１２の状態を検査する。
【００５７】
また、検査が終わった上記複列円筒ころ軸受を、組み立てる際には、今と逆の手順で、複列円筒ころ軸受の組み立てを行う。尚、二つの第２ポケット７１に円筒ころ４,５を組み付ける際には、保持器３を予めころ保持状態にすることは言うまでもない。このようにしないと、少なくともどちらか一方の第２ポケットから円筒ころ４,５が、重力により外れることになるからである。
【００５８】
上記実施形態のころ組立体によれば、上記柱部３１,３２の各第２ポケット７１を画定する面において、周方向に隣接する柱部３１,３２の円筒ころ４,５のピッチ円よりも径方向の外輪１側とは反対側に位置する互いに対向する部分の間隔が、円筒ころ４,５の直径以上であるから、各第２ポケット７１の径方向の外輪１側とは反対側から円筒ころ４,５を取り去る際に、各第２ポケット７１において、その円筒ころ４,５の取り去りを阻害する箇所が存在することがない。したがって、各第２ポケット７１から円筒ころ４,５を容易に取り去りできて、円筒ころ４,５が取り去られた第２ポケット７１を通じて外輪１の内周円筒軌道面１１,１２の検査を迅速かつ容易に行うことができる。
【００５９】
また、上記実施形態のころ組立体によれば、上記柱部３１,３２の各第１ポケット７０を画定する面において、円筒ころ４,５のピッチ円よりも径方向の外輪１側とは反対側に位置する部分が、円筒ころ４,５が径方向に脱落するのを防止する円筒面８５,８７であるから、従来の構成、すなわち、ころ離脱防止の突出部を設ける構成と比較して、円筒ころ４,５をポケットで安定的にだくことができて、円筒ころ４,５の挙動を安定させることができる。したがって、円筒ころ４,５の転動を円滑に行うことができる。
【００６０】
また、上記実施形態のころ組立体によれば、各第１ポケット７０に円筒ころ４,５の離脱を防止する突出部が存在しないから、各第１ポケット７０を容易に製造することができる。
【００６１】
また、上記実施形態のころ組立体によれば、保持器３が有する複数のポケットが、複数の第２ポケット７１を有し、かつ、上記ころ保持状態を生成可能であるから、ころ組立体のいずれの第２ポケットからも重力によって円筒ころ４,５が自発的に落下することがない状態を生成できる。したがって、メンテナンス時に、円筒ころ４,５が自然に落下することに起因する円筒ころ４,５の拾い上げを行う必要がなく、また、円筒ころ４,５が紛失することもない。また、メンテナンスの終了時に、第２ポケット７１に円筒ころ４,５を組み込む際に、一の第２ポケット７１に円筒ころ４,５を収容している最中に、上記一のポケット７１よりも前に収容された他の第２ポケット７１内の円筒ころ４,５が、その他の第２ポケット７１から外れることがない。したがって、複数の第２ポケット７１の全てに円筒ころ４,５を容易に収容できて、全てのポケット７０,７１に円筒ころ４,５が収容されたころ組立体を容易に組立でき、このころ組立体を備える複列円筒ころ軸受を容易に組立できる。
【００６２】
また、上記実施形態のころ組立体によれば、ころが、円筒ころ４,５であり、外輪１の軌道面が、円筒軌道面１１,１２であるから、円筒軌道面１１,１２の検査を容易に行うことができる。
【００６３】
また、上記実施形態の複列円筒ころ軸受によれば、上記各第２ポケット７１から容易にころを取り去ることができて、内周円筒軌道面１１,１２を容易に検査することができる。
【００６４】
また、上記実施形態の複列円筒ころ軸受から円筒ころ４,５を取り去る方法によれば、上記ころ保持状態を生成してから、内輪２を、軸方向に移動させることによって取り外すようにしているから、内輪２を取り外した状態でも、いずれの第２ポケット７１からも円筒ころ４,５が抜け落ちることがない。したがって、上記第２ポケット７１から離脱した円筒ころ４,５を拾い上げる作業を行う必要がなく、かつ、第２ポケット７１から円筒ころ４,５が抜け落ちて傷が付いたり、紛失したりすることを防止できる。
【００６５】
尚、上記実施形態のころ組立体では、保持器３のポケットが、軸方向に２列に配置されていたが、この発明では、保持器のポケットは、軸方向に単列（一列）に配置されても良く、軸方向に３列以上にわたって配置されても良い。
【００６６】
また、上記実施形態のころ組立体では、保持器３が、第２ポケット７１を二つ有していたが、この発明では、保持器は、第２ポケットを一つのみ、または、三以上有していても良い。尚、保持器が、第２ポケットを、三以上有している場合、保持器の中心軸が水平方向に略平行な状態であって、全ての第２ポケットのいずれからも円筒ころが抜け落ちない状態、詳しくは、保持器の中心軸が、水平方向に略平行な状態であって、かつ、全ての第２ポケットが、保持器の中心軸を通過する水平面よりも鉛直方向の下方に位置し、かつ、各第２ポケットのころを下側から受ける柱部においてころが接する接点の接平面が、その接点を通過する水平面と一致するか、または、上記接点よりも径方向の第１軌道部材側とは反対側において、上記水平面よりも鉛直方向上方に位置しているころ保持状態を、生成できることが必須の要件であることは言うまでもない。
【００６７】
また、上記実施形態のころ組立体では、ころ組立体が、外輪１と、保持器３と、複数の第１円筒ころ４と、複数の第２円筒ころ５とを有していたが、この発明では、ころ組立体は、内輪と、保持器と、複数のころとを有していても良い。尚、この場合、内輪の外周軌道面の検査を行うために、保持器に一または複数の第２ポケットを形成することは、言うまでもない。
【００６８】
また、上記実施形態のころ組立体では、ポケット４１,４２が、２列配置されると共に、一方側ポケット４１が、他方側ポケット４２略同一であると共に、第１円筒ころ４が、第２円筒ころ５と略同一（形状および大きさのいずれもが、略同一）であった。しかしながら、この発明では、ポケットが、複列配置されると共に、ある列に所属するポケットが、その列以外のある列に所属するポケットと、異なって（略同一以外の形態であること）いても良い。
【００６９】
また、上記実施形態のころ組立体は、外輪１が、第１内周円筒軌道面１１の軸方向の一方側に第１鍔部１３を有すると共に、外輪１が、第２内周円筒軌道面１２の軸方向の他方側に第２鍔部１４を有して、第１,第２円筒ころ４,５が、外輪１から抜けにくい構造であった。しかしながら、ころ組立体は、内輪の軌道面の軸方向の両側に径方向の外方に突出する鍔部が存在しているがために、内輪からころを取り去りにくい構成であっても良い。また、外輪または内輪の軌道面の軸方向の両側にシール装置が、固定されている等の構造によって、ころが外輪または内輪から取り去りにくい構造であっても良い。
【００７０】
また、上記実施形態では、ころが、円筒ころ４,５であったが、ころは、円錐ころまたは凸面ころ等であっても良い。尚、ころが、円錐ころである場合には、
円錐ころが保持器の第２ポケットに収容されている状態において、円錐ころが径方向に保持器に重なっている保持器の軸方向の全ての範囲において、各径方向の断面において、周方向に隣接する柱部間の間隔が、転動面の直径よりも長くなっていることが必須条件である。
【００７１】
また、上記ころ保持状態を生成可能である具体例としては、各第２ポケットを構成する二つの柱部の夫々において、径方向の第１軌道部材側とは反対側の端部が略径方向に延在し、かつ、周方向において一端に位置する第２ポケットの一端側の柱部と、周方向において他端に位置する第２ポケットの他端側の柱部とが、成す中心角が、弧度法で、π（ラジアン）より小さい場合等が、考えられる。
【符号の説明】
【００７２】
１  外輪
２  内輪
３  保持器
４  第１円筒ころ
５  第２円筒ころ
１１  第１内周円筒軌道面
１２  第２内周円筒軌道面
２１  第１外周円筒軌道面
２２  第２外周円筒軌道面
３０  環状部
３１  第１柱部
３２  第２柱部
４１  一方側ポケット
４２  他方側ポケット
７０  第１ポケット
７１  第２ポケット
８５  他方側ポケットの第１ポケットの円筒面
８７  一方側ポケットの第１ポケットの円筒面
９０  他方側ポケットの第２ポケットの第２柱部の平坦部
【図１】
0005509905.tif 000002
【図２】
0005509905.tif 000003
【図３】
0005509905.tif 000004
【図４】
0005509905.tif 000005